(57)【特許請求の範囲】
【請求項１】
印刷ロールによって長尺シートに所定の模様を印刷したのち、カッターロールで長尺シートを切断して、所定長さを有する複数の枚葉シートを調製する際に、
前記印刷ロールを複数使用するとともに、少なくとも１つの印刷ロールの印刷ピッチを、前記カッターロールの切断ピッチと同一に設定し、
残りの印刷ロールの印刷ピッチを、前記カッターロールの切断ピッチと異なるものとすることによって、
印刷ピッチをカッターロールの切断ピッチと同一に設定した印刷ロールによる模様を除いて、切断される枚葉シートに印刷される模様の位置をスライドさせ、切断された枚葉シートに印刷された模様に変化をもたらすこと
を特徴とする枚葉シートの調製方法。
【請求項２】
前記複数の印刷ロールは、
印刷ピッチが同一の少なくとも２つの印刷ロールと、印刷ピッチがそれらと異なる印刷ロールから構成され、前記カッターロールの切断ピッチが、前記２つの印刷ロールの印刷ピッチと同一で、当該ピッチで印刷された模様は、枚葉シート毎にすべて同一位置に印刷され、異なる印刷ピッチを有する印刷ロールによる模様は、切断された枚葉シート毎にスライドして印刷されること
を特徴とする請求項１に記載の枚葉シートの調製方法。
【請求項３】
前記枚葉シートは、
包装用袋を製作するためのシートであること
を特徴とする請求項１又は２に記載の枚葉シートの調製方法。
【発明の詳細な説明】
【技術分野】
【０００１】
この発明は、販売された商品の携行用に使用される各種形態の紙袋類、包装用紙器などに使用される枚葉シートの調製方法に関するもので、包装資材技術の分野に属するものである。
【背景技術】
【０００２】
販売した商品の携行用に使用される紙袋類の多くは、提手が付設されているとともに、紙袋の表面の四周には、販売店や商品ブランドを示すロゴや、デザイン化された模様や各種の図柄が印刷されているのが一般的である。
【０００３】
特に、デザインの優れた、高級感のある紙袋は、販売促進の一環として、あるいは販売する商品にさらなる高級感を付与し、同質の商品や他の店舗や販売店とのサービス面での差別化を図り、購入者の購買意欲を惹起し、再度の来店を促すことが良く知られている。
【０００４】
そのため、例えば、実開平０２−０８３２３１号公報（特許文献１）では、印刷表面にニスが塗付された光沢用紙を用いる紙袋が提案されている。
また、特開平１１−３０１６９９号公報（特許文献２）においては、襠部を設けた上方開口の紙製袋本体の外側面を、透明合成樹脂シートからなるカバーで覆い、上部に把手を設けた手提げ紙袋において、前記カバーに模様を印刷し、紙袋に高級感を付与した手提げ紙袋も提案されている。
【０００５】
かかる紙袋への優れたデザインで美麗な印刷は、紙袋を作製する前の枚葉シートに施されるが、美麗で欠点のない印刷を施すためには、原画の色彩や縁取りの再現について検討打ち合わせを厳密に行い、多色刷りの際の濃度、線幅、色、印刷位置等の精度がよく、できるだけ同一の品質のものを高精度に作るように求められている。
【０００６】
しかしながら、紙袋への印刷技術において、通常、上記のような高精度の技術が求められる一方で、その要求に逆行するような提案が、種々の印刷物の調製においてはなされている。
例えば、特開昭５８−７４３８８号公報（特許文献３）においては、化粧シートの製造に際し、より天然の突板らしく木目印刷をするため、同一直径のシリンダー状印刷版を用いる従来技術に反して、少なくとも一つの印刷版の直径が他の印刷版の直径と異なるものを用い、各々の印刷版の、周長の最小公倍数に相当する長さで、一単位の木目模様を形成するようにした印刷方法が提案されている。
この印刷方法は、一単位の長さの長い印刷模様でも、小さな直径の印刷シリンダーを用いて印刷できるとしている。
【０００７】
また、特開平１０−２５０２５９号公報（特許文献４）においては、くじ付レシート用紙の印刷に際して、長尺のレシート用紙を、直列に配置された、異なる円周長の３本以上の印刷ロールに給送し、各印刷ロールにそれぞれ異色のインキを付与して、前記給送されるレシート用紙面に、異なるピッチでそれぞれ異色の色相図柄を順次印刷すると共に、各幅の最小公倍数間隔をもって、各印刷ロールの整合された所定の色相図柄を現出させることが提案されている。
このくじ付レシート用紙の作成法によれば、物品を購入して受け取ったレシートに当該色相図柄が印刷されていれば、当りとされ、購買意欲を高めるとされている。
【０００８】
さらに、特開２０００−７１５９８公報（特許文献５）においては、基材上に２種以上の柄模様を重ね刷りした化粧材、及びその重ね刷り模様の作成方法が提案されている。
この重ね刷り模様の作成方法は、単位柄模様を一方向及び／又は該一方向と直交する方向に一定幅で配置し、かつ、異なる単位柄模様の幅同志は、すべて互いに異なるようにして行うというものである。
その結果、小面積の単位柄模様を用いながら、得られる印刷物での絵柄模様の繰り返し単位をきわめて大きくすることが可能となり、低コストでより自然に近い、意趣に富んだ化粧材を容易に得ることができるとされている。
【特許文献１】実開平０２−０８３２３１号公報（実用新案登録請求の範囲）
【特許文献２】特開平１１−３０１６９９号公報（特許請求の範囲）
【特許文献３】特開昭５８−７４３８８号公報（特許録請求の範囲、第２頁右下欄）
【特許文献４】特開平１０−２５０２５９号公報（特許請求の範囲、段落００１９）
【特許文献５】特開２０００−７１５９８号公報（特許請求の範囲、段落００２３）
【発明の開示】
【発明が解決しようとする課題】
【０００９】
かかる現状に鑑み、発明者等は、商品の購入に際して顧客に提供される手提げ（把手）付きの紙袋に、販売店としての独自性を付与し、他店との差別化を図り、購入者の購買意欲を惹起し、再度の来店を促すという機能を付与する方法、さらには、優れたデザインの採用、美麗な印刷の適用などにより増加するコストを低減する方法について検討を行なった。
【００１０】
その結果、一つの模様（デザイン）を把手付きの紙袋用枚葉シートに印刷する際に、従来の印刷のように、色合わせ、図形合わせを行ない、すべての紙袋が、精確に同一の模様を有するという状態を避け、模様の印刷位置を適宜変更し、紙袋ごとに模様を変化させることにより、紙袋にバラエティを持たせ、商品購入者の目を引き付けることができ、延いては、他店との差別化を可能とし、購入者の購買意欲を惹起し、再度の来店を促すという機能を紙袋に付与できることを見出した。
【００１１】
なお、この発明において、模様（デザイン）とは、単に図形のみを示すのではなく、数字、記号、さらには、店名などを示すロゴ、エコマーク等のマーク、さらには、容器に関する注意事項、例えば廃棄方法なども含んだ、紙袋表面に印刷される全てを含んで、紙袋の模様とするものである。
【課題を解決するための手段】
【００１２】
前記目的を達成するため、この発明の請求項１に記載の発明は、
印刷ロールによって長尺シートに所定の模様を印刷したのち、カッターロールで長尺シートを切断して、所定長さを有する複数の枚葉シートを調製する際に、
前記印刷ロールを複数使用するとともに、少なくとも１つの印刷ロールの印刷ピッチを、前記カッターロールの切断ピッチと同一に設定し、
残りの印刷ロールの印刷ピッチを、前記カッターロールの切断ピッチと異なるものとすることによって、
印刷ピッチをカッターロールの切断ピッチと同一に設定した印刷ロールによる模様を除いて、切断される枚葉シートに印刷される模様の位置をスライドさせ、切断された枚葉シートに印刷された模様に変化をもたらすこと
を特徴とする枚葉シートの調製方法である。
【００１３】
この発明の請求項２に記載の発明は、
請求項１に記載の枚葉シートの調製方法において、
前記複数の印刷ロールは、
印刷ピッチが同一の少なくとも２つの印刷ロールと、印刷ピッチがそれらと異なる印刷ロールから構成され、前記カッターロールの切断ピッチが、前記２つの印刷ロールの印刷ピッチと同一で、当該ピッチで印刷された模様は、枚葉シート毎にすべて同一位置に印刷され、異なる印刷ピッチを有する印刷ロールによる模様は、切断された枚葉シート毎にスライドして印刷されること
を特徴とするものである。
【００１４】
この発明の請求項３に記載の発明は、
請求項１又は２に記載の枚葉シートの調製方法において、
前記枚葉シートは、
包装用袋を製作するためのシートであること
を特徴とするものである。
【発明の効果】
【００１５】
この発明の方法で調製された枚葉シートは、印刷ロールを複数使用するとともに、少なくとも１つの印刷ロールの印刷ピッチを、前記カッターロールの切断ピッチと同一に設定し、残りの印刷ロールの印刷ピッチを、前記カッターロールの切断ピッチと異なるものとすることによって、印刷ピッチをカッターロールの切断ピッチと同一に設定した印刷ロールによる模様を除いて、切断される枚葉シートに印刷される模様の位置をスライドさせ、切断された枚葉シートに印刷された模様に変化をもたらせるものである。
したがって、この枚葉シートを用いて作製された紙袋は、表面の模様が、それぞれ変化したものとなるため、商品購入者はもちろん、第三者の目も引き付けることができ、購入者はもちろん、第三者の購買意欲も惹起し、来店を促すとともに、他店との差別化も図れるという優れた効果を有するものである。
【００１６】
上記効果は、差別化のためのデザインとして高価なものを使用する必要はなく、正確な印刷技術の適用も必要でなく、通常の印刷機によって実施することができるので、従来の紙袋の製造コストと同コストで達成することができるものである。
【００１７】
さらに、この発明においては、店名などのロゴ、エコマークなどの記号、取扱上の注意事項などの重要な事項は、所望する位置に常に一定に印刷することが可能であるので、広告宣伝も、注意喚起も十分効果的に発揮させることができる。
【発明を実施するための最良の形態】
【００１８】
以下、この発明の枚葉シートの調製方法を、添付の図面を参照しながら具体的に説明する。
【００１９】
図１は、印刷された模様を変化させた枚葉シートの調製方法の一例を示す概略と、前記枚葉シートから作製された把手付きの紙袋を示す概略図である。
図２は、印刷された模様を変化させた枚葉シートの調製方法の、他の例を示す概略と、前記枚葉シートから作製された把手付きの紙袋を示す概略図である。
図３は、印刷された模様の一部は固定し他を変化させた枚葉シートの調製方法を示す概略と、前記枚葉シートから作製された把手付きの紙袋を示す概略図である。
図４は、従来の枚葉シートの調製方法の概略と、このシートから作製された把手付きの紙袋を示す概略図である。
【００２０】
これらの図において、１は原紙ロールを、２は原紙を、３，４，５はいずれも印刷ロール（版胴）を、６はカッターロールを、７は枚葉シートを、８は枚葉シートから作製された把手付き紙袋を示している。
【００２１】
従来の枚葉シートの調製方法では、図４に示すように、通常、小袋であれば２０，０００袋、大袋であれば５，０００袋が作製可能な４，０００〜５，０００ｍの長さの原紙２が巻き取られた原紙ロール１が用いられる。
この原紙２は、順次印刷ピッチの等しい印刷ロール（版胴）３，４，５を経ることによって、具体的には、例えば、第一の印刷ロール３によって「□」の図形を黄色などのインクで、第二の印刷ロール４によって「△」の図形を赤色などのインクで、第三の印刷ロール４によって「ザ・パック」の文字（ロゴ）を黒色などのインクで順次重ね刷りされ、同一面にすべての模様（デザイン）が同一状態で印刷される。
【００２２】
かくして模様（デザイン）が印刷された原紙２は、印刷ロール（版胴）３，４，５の印刷ピッチと等しい切断ピッチを有するカッターロール６で、模様（デザイン）の印刷幅に等しい幅で、枚葉シート７に切断される。
【００２３】
この印刷および切断においては、重ね刷りに際して、色ズレ、図形ズレなどが、さらには、切断に際しては、切断ズレなどが発生しないように、インクの濃度、線幅、色、印刷位置、切断位置等について厳密に管理されている。
その結果、精度がよく、同一の品質で模様（デザイン）の施された枚葉シート７が調製され、この枚葉シートを使用して同一の品質の、把手付き紙袋８が作製される。
【００２４】
なお、この従来の枚葉シートの調製方法においては、印刷のための印刷ロールや、カット長さを変更するためのカッターロールは、数十種類の取り揃えがあって、オーダーの都度、目的に合った印刷ロールやカッターロールがセットされる。
【００２５】
これに対し、印刷された模様を変化させた枚葉シートの調製方法では、図１にその一例として示すように、一つの印刷ロール３と、この印刷ロール３と印刷ピッチの異なる切断ピッチを有するカッターロール６によって行われるものである。
【００２６】
すなわち、図１に示される枚葉シートの調製方法においては、印刷ロール３によって、例えば、長尺の原紙２シートのいずれか一方の側縁部に沿って、一定の模様が繰返し印刷され、印刷ロール３の印刷ピッチと異なる切断ピッチを有するカッターロール６で、言い換えると、印刷された模様の繰返し幅と異なる長さで、長尺の原紙２シートが所定の長さに切断されるものである。
【００２７】
具体的には、所要の径と幅とを有する印刷ロール３によって、紙袋８の側縁部に沿って顕出する模様（実施例においては、「○×△」の繰り返し模様）を印刷し、前記印刷ロール３の印刷ピッチとは異なる切断ピッチのカッターロール６によって、原紙シートを所定の長さに切断するものである。
【００２８】
図２は、印刷された模様を変化させた枚葉シートの調製方法の別の実施例を示すものである。
この実施例では、図１に示される、１台の印刷ロール３を用いた調製方法との差異は、３台の印刷ロール３，４，５と３台用いた点にある。
これら３台の印刷ロール３，４，５は、夫々印刷ピッチが異なるものである。
なお、印刷ピッチの異なる印刷ロール（版胴）３，４，５の配置位置は任意なもので、それらで印刷される模様や、使用されるインクなどを考慮して配置される。
【００２９】
具体的には、例えば、紙袋８として仕上げたとき、正面（及び／又は背面）の側縁部に沿って顕出する模様（実施例では「Ａ，Ｂ，Ｃ」の文字）が、最も印刷ピッチの小さな第一の印刷ロールで順次印刷される。
ついで、印刷ピッチの最も大きな第二の印刷ロール４で、紙袋８の正面又は背面、場合によっては、底面部の外側に顕出させる模様（図では「ハートの図形」）が印刷される。
さらに、前記第一の印刷ロール３や第二の印刷ロール４とも印刷ピッチの異なる、第三の印刷ロール５によって、メインとなる模様（図では「イロハニ」の文字）が印刷されたのち、前記印刷ロール３，４，５の印刷ピッチと異なる切断ピッチを有するカッターロール６によって、原紙２を所定の長さと幅に切断する。
【００３０】
図２に示される枚葉シートの調製方法では、長尺シートに重ね刷りされた、印刷ロール３，４，５による、夫々の模様（デザイン）の繰返し幅（印刷幅）が異なる長さを有するため、各枚葉シート毎に印刷された夫々の模様（デザイン）のスライド割合が異なることとなり、所定長さと幅を有し、各枚葉シートの模様（デザイン）が変化する。
【００３１】
すなわち、分割された模様（デザイン）が枚葉シート毎にスライドし、かつそのスライド割合が異なるので、全体としての模様（デザイン）が変化した、複数の枚葉シート７が得られる。
なお、当然ことであるが、当該枚葉シート７から作製された把手付き紙袋８は、それぞれ、表面の模様（デザイン）が変化する。
すなわち、分割された模様（デザイン）夫々が、異なる割合でスライドしたものが得られる。
【００３２】
その結果、各枚葉シートに印刷された模様の位置が、枚葉シート毎にスライドすることにより、所定長さと幅を有し、各枚葉シートの模様８（デザイン）が変化した複数の枚葉シート７が得られる。
なお、当然ことであるが、得られる紙袋８の模様（デザイン）は、すべて変化したものとなる。
【００３３】
なお、模様（デザイン）のスライド幅は、紙袋が顧客に渡され、使用された際に、それぞれの紙袋の模様（デザイン）が視覚的に明瞭に異なるので、顧客や第三者に興味や熟視させるようになることを考慮して決定するものである。
【００３４】
図３は、この発明にかかる印刷された模様の一部は固定し他を変化させた枚葉シートの調製方法の一つの実施形態である。
前記図２に示される、３台の印刷ロール３，４，５を用いた枚葉シートの調製方法との差異は、３台配置した印刷ロール３，４，５の内の、１台の印刷ロール５の印刷ピッチと、カッターロール６の切断ピッチを同じピッチとしたものを用いた点である。
【００３５】
この図３に示される枚葉シートの調製方法では、長尺シートに重ね刷りされた、カッターロール６の切断ピッチと異なる印刷ピッチを有する、印刷ロール３，４による夫々の模様（デザイン）の繰返し幅（印刷幅）が異なる長さを有し、夫々、枚葉シートに印刷された夫々の模様（デザイン）が枚葉シート毎にスライドする。
【００３６】
しかしながら、そのスライド割合が異なるが、印刷ロール５の印刷ピッチはカッターロール６の切断ピッチと同じため、印刷ロール５で印刷される模様（デザイン）の繰返し幅（印刷幅）と切断幅が一致するため、枚葉シートに印刷ロール５で印刷された模様（デザイン）は常に一定の位置を占めることになる。
【００３７】
すなわち、印刷された部分模様の一部は、常に枚葉シートの特定箇所に位置するが、他の部分模様の印刷位置は、枚葉シート毎にスライドし、統合された模様が各枚葉シート毎に変化した、所定長さと幅を有する複数の枚葉シートが得られる。
【００３８】
また、当然のことであるが、当該枚葉シート７から作製された把手付きの紙袋８は、それぞれ、表面の模様（デザイン）が異なる、模様（デザイン）が一部を除き順次スライドしたものとなる。
【００３９】
この図３において示された枚葉シートの調製方法においては、模様の一部が、常に枚葉シートの特定箇所に位置するもので、商店名のロゴ、使用や廃棄の際の注意事項等を、常に一定の位置に印刷配置することができるため、ロゴによる宣伝効果、注意事項の喚起効果を有効に発揮させることができるものである。
【００４０】
因みに、使用する印刷ロールを４本とし、各印刷ロールの印刷ピッチを、４００ｍｍ，４３０ｍｍ，６００ｍｍ，６２０ｍｍに設定した場合、その最小公倍数は６３，９８４，０００ｍｍであるため、原紙ロールに巻き取る原紙の長さを１本４，０００ｍとすると、その範囲においては同じ模様の枚葉シートは表われない。
【００４１】
なお、この発明の枚葉シートの調製方法においては、版胴を用いたフレキソ印刷での実施について説明している。
しかしながら、長尺シートへの模様の印刷ピッチと、前記模様が印刷されたシートへの切断ピッチを異ならせることによって、得られる枚葉シートの全ての印刷模様を変化させることができる。
したがって、フレキソ印刷以外の印刷手法、例えば、グラビア印刷やオフセット印刷、スクリーン印刷などにおいても、この発明の枚葉シートと同様のものを得ることが可能なものである。
＜参考例＞
【００４２】
参考例は、図示しないが、原紙シートの流れ方向に沿って、同一の印刷ピッチを有する２つの印刷ロールと、これら印刷ロールと印刷ピッチの異なる一つの印刷ロールおよび前記の各印刷ロールの印刷ピッチと異なる切断ピッチを有する１つのカッターロールとを、適宜の間隔で配置して印刷した、全ての模様（デザイン）が変化した位置で印刷されたクロスパズル風の、把手付きの紙袋の例（図５）である。
【００４３】
１版目の印刷ロールには、図６（Ａ）に示すように、英語の単語を、上下および左右方向に各単語間に所定の間隔を存して表わしたもので、少なくとも隣接する単語同士の間には、１文字分の空白が形成されたもので、印刷ピッチは６００ｍｍである。
２版目の印刷ロールには、図６（Ｂ）で示すように、市松模様風の図柄を地模様として表示したもので、塗られた升目は、前記文字とは一致せず、かならず前記文字間に生ずる空白と一致するように配置されたもので、印刷ピッチは４００ｍｍである。
３版目の印刷ロールには、図６（Ｃ）で示すように、ランダムに長い横枠と短い横枠とを表示したもので、印刷ピッチは、２版目の印刷ロールとおなじ４００ｍｍである。
なお、カッターロールは、その切断ピッチが、前記各印刷ロールの印刷ピッチと異なっているものを使用して行なうものである。
【００４４】
したがって、得られる紙袋は、図５で明らかなように、市松模様風の図柄からなる地模様上に相応して各英文字が現れるものの、長短の横枠に囲まれる英文字は、ランダムなものとなる。
【実施例１】
【００４５】
実施例１は、図示しないが、原紙シートの流れ方向に沿って、４つの印刷ロール（具体的には、同一の印刷ピッチを有する２つの印刷ロールと、前記印刷ロールと印刷ピッチが異なるとともに、互いの印刷ピッチも異なる２つの印刷ロール）と、切断ピッチが、前記２つの印刷ロールの印刷ピッチと同じカッターロールとを、適宜の間隔で配置して印刷した、クリスマス商戦用の、把手付きの紙袋の例（図７）である。
【００４６】
この実施例１における１版目の印刷ロールには、図８（Ａ）で示すように、雪だるまと冬空を表わす地模様が表示されたもので、印刷ピッチは３５０ｍｍである。
２版目の印刷ロールには、図８（Ｂ）で示すように、大小の雪の結晶を点在させて表わしたもので、印刷ピッチは５６０ｍｍである。
３版目の印刷ロールは、図９（Ｃ）で示すように、前記図８（Ｂ）の雪の結晶より大きな雪の結晶と、３頭のトナカイに引かれるソリの図形をランダムに表わしたもので、印刷ピッチは６４０ｍｍである。
４版目の印刷ロールは、図９（Ｄ）で示すように、「Ｍｅｒｒｙ ｃｈｒｉｓｍａｓ」の英単語を一定の位置に表わしたもので、印刷ピッチは３５０ｍｍである。
なお、前記カッターロールは、１版目および３版目の印刷ロールの印刷ピッチと同一の切断ピッチのものを使用している。
【００４７】
かくして得られる紙袋は、１版目と３版目の印刷ロールの印刷ピッチが同一で、かつカッターロールの切断ピッチも、前記１版目と３版目の印刷ロールの印刷ピッチと同一に設定している。
したがって、図８で明らかなように、紙袋に顕出する地模様と英単語は、常に一定位置に印刷されるが、大小の雪の結晶（２版目）とトナカイの図形（４版目）は、スライドされてランダムな位置に表示される。
【実施例２】
【００４８】
実施例２は、「福笑い」をモチーフとした把手付きの紙袋の例（図１０）で、４つの印刷ロールと、一つのカッターロールとを使用したものである。
１版目と２版目の印刷ロールの印刷ピッチは、共に３５０ｍｍで、１版目には、図１１（Ａ）で示すように、梅の図柄と柳の枝からなる図形と、後述する「おたふく」の図柄の「左右のほほ」を表わす図柄とからなる地模様が表わされている。
２版目には、図１１（Ｂ）で示すように、福笑いを構成する「おたふく」の輪郭図が表わされている。
【００４９】
３版目は、図１２（Ｃ）で示すように、前記「おたふく」の「くちびる」を表示する図柄がランダムに表わされたもので、印刷ピッチは６４０ｍｍである。
４版目は、図１２（Ｄ）で示すように、同じく「おたふく」の「まゆ」を表示する図柄がランダムに表わされたもので、印刷ピッチは４５０ｍｍである。
なお、使用するカッターロールの切断ピッチは、１版目および２版目の印刷ロールの印刷ピッチと同一のもの（切断ピッチ３５０ｍｍ）を使用するものである。
【００５０】
かくして得られた枚葉シートは、図１０で明らかなように、前記地模様と「おたふく」の図柄（模様）は、どの紙袋においても同じ位置に表示されるが、「くちびる」と「まゆ」の位置は、前記２つの模様はすべてランダムに顕出するため、殆ど同じ紙袋となることがない。
【００５１】
このようにして得られた紙袋、例えば、福笑いの紙袋は、その複数をショーウインドなどに、前後方向に位置をずらせて、あるいは左右方向に並べることによって、全体として不思議な立体感を醸し出し、顧客の視線を引き付けることができるので、ディスプレイ用品としても使用することができる。
【００５２】
かかる枚葉シートの調製は、以下の方法によっても実施することができる。
すなわち、比較的径の大きな一つの印刷ロールと、一つのカッターロールとで印刷装置を構成し、前記印刷ロールの外周面を複数の印刷ピッチ、例えば三つに分割し、三つの印刷ピッチ面にそれぞれ模様を変化させて配置し、印刷する。
【００５３】
しかして、得られたシート状の原紙を、前記分割された三つの印刷ピッチと異なる切断ピッチを有するカッターロールで切断することによって、各模様がすべてランダムに表示された枚葉シートを得ることができる。
【００５４】
一方、上記印刷装置を使用して枚葉シートを印刷するに際し、使用するカッターロールの切断ピッチを、三つに分割した印刷ピッチのいずれか一つの印刷ピッチと一致させることによって、一致させた印刷ピッチに表わされた模様は、常に一定の部位に表わされ、他の印刷ピッチに表わされた模様は、ランダムに表示されることになる。
【００５５】
以上述べたように、この発明にかかる枚葉シートの調製方法は、包装用紙袋を調製するための従来の印刷装置において、使用する印刷ロールの印刷ピッチと、カッターロールの切断ピッチを適宜選択することによって、多様な模様が印刷された枚葉シートを簡単かつ容易に得ることができる。
【００５６】
特に、使用する印刷ロールの全ての印刷ピッチと、各印刷ロールによって印刷されたシート状の原紙を、切断するカッターロールの切断ピッチを制御することによって、ランダムに模様が印刷された趣味感の異なる包装用の紙袋を大量に、かつ安価に得ることができる。
【００５７】
その際、これら包装用の紙袋を提供する商品の販売者が、顧客に強くアピールしたい、店舗名やブランドなどのロゴ（模様）が存在する場合には、当該ロゴ（模様）を印刷する印刷ロールの印刷ピッチと同一の切断ピッチを有するカッターロールを選択することによって、当該ロゴ（模様）を、得られる紙袋の最も目立つ部位、あるいは所定の位置に常に印刷することができるので、ランダムに表われる他の模様との対比もあって、変化に富んだ紙袋を提供することができるものである。
【００５８】
さらに、前記の各実施例においては、把手付き紙袋で説明したが、包装用の紙袋であれば、簡易包装用などの把手の無い紙袋であってもよいことは当然である。
【００５９】
さらにまた、包装用の袋体であれば、スーパーマーケットやコンビニエンスストアなどで使用される合成樹脂製の袋体であってもよい。
【産業上の利用可能性】
【００６０】
この発明の枚葉シートの調製方法は、特に把手付き紙袋の作製に適した枚葉シートの調製に適したもので、各種商品を収納し販売するために適した紙袋の作製に適した枚葉シートが調製される方法であって、包装材製造業および各種商品などの販売業において、広く利用可能なものである。
【図面の簡単な説明】
【００６１】
【図１】印刷された模様を変化させた枚葉シートの調製方法の一例を示す概略と、前記枚葉シートから作製された把手付き紙袋を示す概略図である。
【図２】印刷された模様を変化させた枚葉シートの調製方法の、他の例を示す概略と、前記枚葉シートから作製された把手付き紙袋を示す概略図である。
【図３】この発明にかかる枚葉シートの調製方法を示す概略と、前記枚葉シートから作製された把手付き紙袋を示す概略図である。
【図４】従来の枚葉シートの調製方法の概略と、このシートから作製された把手付き紙袋を示す概略図である。
【図５】参考例において印刷された枚葉シートの正面図である。
【図６】図５における枚葉シートの各版目の印刷内容を示すものであって、（Ａ）は１版目の模様を、（Ｂ）は２版目の模様を、（Ｃ）は３版目の模様を示す。
【図７】実施例１において印刷された枚葉シートの正面図である。
【図８】図７における枚葉シートの各版目の印刷内容を示すものであって、（Ａ）は１版目の模様を、（Ｂ）は２版目の模様である。
【図９】図７における枚葉シートの各版目の印刷内容を示すものであって、（Ｃ）は３版目の模様を、（Ｄ）は４版目の模様を示す。
【図１０】実施例２において印刷された枚葉シートの正面図である。
【図１１】図１０における枚葉シートの各版目の印刷内容を示すものであって、（Ａ）は１版目の模様を、（Ｂ）は２版目の模様を示す。
【図１２】図１０における枚葉シートの各版目の印刷内容を示すものであって、（Ｃ）は３版目の模様を、（Ｄ）は４版目の模様を示す。
【符号の説明】
【００６２】
１     原紙ロール
２     原紙
３〜５ 印刷ロール（版胴）
６     カッターロール
７     枚葉シート
８     枚葉シートから作製された把手付きの紙袋
【図１】
0005083686.tif 000002
【図２】
0005083686.tif 000003
【図３】
0005083686.tif 000004
【図４】
0005083686.tif 000005
【図５】
0005083686.tif 000006
【図６】
0005083686.tif 000007
【図７】
0005083686.tif 000008
【図８】
0005083686.tif 000009
【図９】
0005083686.tif 000010
【図１０】
0005083686.tif 000011
【図１１】
0005083686.tif 000012
【図１２】
0005083686.tif 000013